(57)【要約】  本開示のいくつかの態様は、新無線（ＮＲ）物理ダウンリンク共有チャネル（ＰＤＳＣＨ）および物理アップリンク共有チャネル（ＰＵＳＣＨ）についてのレートマッチングに関係する方法および装置に関する。いくつかの態様では、方法が、サービングセルからレートマッチングリソース（ＲＭＲ）構成を受信することを含む。本方法はまた、ＲＭＲ構成に関連する送信ヌメロロジーに少なくとも部分的に基づいて、周辺でレートマッチングされるべき１つまたは複数の第１のリソース要素（ＲＥ）を識別することを含み、ここにおいて、１つまたは複数の第１のＲＥは、サービングセルまたはネイバリングセルにおける基準信号（ＲＳ）送信のために使用される。本方法は、物理ダウンリンク共有チャネル（ＰＤＳＣＨ）を、第１のＲＥを含まない１つまたは複数の第２のＲＥにマッピングすることをさらに含む。【選択図】図１０
2020535740.tif 000002
【特許請求の範囲】
【請求項１】
ユーザ機器（ＵＥ）によるワイヤレス通信の方法であって、
サービングセルからレートマッチングリソース（ＲＭＲ）構成を受信することと、
前記ＲＭＲ構成に関連する送信ヌメロロジーに少なくとも部分的に基づいて、周辺でレートマッチングされるべき１つまたは複数の第１のリソース要素（ＲＥ）を識別すること、ここにおいて、前記１つまたは複数の第１のＲＥは、前記サービングセルまたはネイバリングセルにおける基準信号（ＲＳ）送信のために使用される、と、
物理ダウンリンク共有チャネル（ＰＤＳＣＨ）を、前記第１のＲＥを含まない１つまたは複数の第２のＲＥにマッピングすることと
を備える、方法。
【請求項２】
前記サービングセルから受信された前記ＲＭＲ構成に関連する前記送信ヌメロロジーは、前記ネイバリングセルの送信ヌメロロジーと同一である、
請求項１に記載の方法。
【請求項３】
前記サービングセルから受信された前記ＲＭＲ構成に関連する前記送信ヌメロロジーは、前記ネイバリングセルの送信ヌメロロジーとは異なる、
請求項１に記載の方法。
【請求項４】
前記サービングセルから受信された前記ＲＭＲ構成に関連する前記送信ヌメロロジーに対応するサブキャリア間隔は、前記ネイバリングセルの前記送信ヌメロロジーに対応するサブキャリア間隔よりも大きい、
請求項３に記載の方法。
【請求項５】
前記サービングセルから受信された前記ＲＭＲ構成に関連する前記送信ヌメロロジーに対応するサブキャリア間隔は、前記ネイバリングセルの前記送信ヌメロロジーに対応するサブキャリア間隔よりも小さい、
請求項３に記載の方法。
【請求項６】
前記ＲＭＲは、ゼロ電力チャネル状態情報基準信号（ＺＰ  ＣＳＩ−ＲＳ）を含む、
請求項１に記載の方法。
【請求項７】
ユーザ機器（ＵＥ）によるワイヤレス通信の方法であって、
サービングセルからレートマッチングリソース（ＲＭＲ）構成を受信することと、
前記ＲＭＲ構成における物理アップリンク制御チャネル（ＰＵＣＣＨ）とサウンディング基準信号（ＳＲＳ）とに関係するシグナリング構成に少なくとも部分的に基づいて、物理アップリンク共有チャネル（ＰＵＳＣＨ）のために周辺でレートマッチングされるべき１つまたは複数の第１のリソース要素（ＲＥ）を識別することと、
物理アップリンク共有チャネル（ＰＵＳＣＨ）を、前記第１のＲＥを含まない１つまたは複数の第２のＲＥにマッピングすることと
を備える、方法。
【請求項８】
前記１つまたは複数の第１のＲＥは、前記サービングセルまたはネイバリングセルにおけるアップリンクロングＰＵＣＣＨ送信のために指定される、
請求項７に記載の方法。
【請求項９】
前記１つまたは複数の第１のＲＥは、前記サービングセルまたはネイバリングセルにおけるアップリンクロングＰＵＣＣＨ送信のために使用される、
請求項７に記載の方法。
【請求項１０】
前記１つまたは複数の第１のＲＥは、前記サービングセルまたはネイバリングセルにおけるアップリンクショート持続時間に対応する、
請求項７に記載の方法。
【請求項１１】
前記１つまたは複数の第１のＲＥは、前記サービングセルまたはネイバリングセルにおけるアップリンクショート持続時間中のアップリンクショートＰＵＣＣＨおよびＳＲＳ送信のために予約される、
請求項７に記載の方法。
【請求項１２】
前記１つまたは複数の第１のＲＥは、前記サービングセルまたはネイバリングセルにおけるアップリンクショート持続時間中のアップリンクショートＰＵＣＣＨおよびＳＲＳを含む信号またはチャネルの送信のために使用される、
請求項７に記載の方法。
【請求項１３】
前記識別することは、前記ＲＭＲ構成におけるアップリンク多入力多出力（ＭＩＭＯ）プリコーダにさらに基づく、
請求項７に記載の方法。
【請求項１４】
前記ＲＭＲは、ゼロ電力チャネル状態情報基準信号（ＺＰ  ＣＳＩ−ＲＳ）を含む、
請求項７に記載の方法。
【請求項１５】
装置であって、
実行可能な命令を備える非一時的メモリと、
前記メモリとデータ通信しているプロセッサと
を備え、前記プロセッサは、前記装置に、
サービングセルからレートマッチングリソース（ＲＭＲ）構成を受信することと、
前記ＲＭＲ構成に関連する送信ヌメロロジーに少なくとも部分的に基づいて、周辺でレートマッチングされるべき１つまたは複数の第１のリソース要素（ＲＥ）を識別すること、ここにおいて、前記１つまたは複数の第１のＲＥは、前記サービングセルまたはネイバリングセルにおける基準信号（ＲＳ）送信のために使用される、と、
物理ダウンリンク共有チャネル（ＰＤＳＣＨ）を、前記第１のＲＥを含まない１つまたは複数の第２のＲＥにマッピングすることと
を行わせるために前記命令を実行するように構成される、装置。
【請求項１６】
前記サービングセルから受信された前記ＲＭＲ構成に関連する前記送信ヌメロロジーは、前記ネイバリングセルの送信ヌメロロジーと同一である、
請求項１５に記載の装置。
【請求項１７】
前記サービングセルから受信された前記ＲＭＲ構成に関連する前記送信ヌメロロジーは、前記ネイバリングセルの送信ヌメロロジーとは異なる、
請求項１５に記載の装置。
【請求項１８】
前記サービングセルから受信された前記ＲＭＲ構成に関連する前記送信ヌメロロジーに対応するサブキャリア間隔は、前記ネイバリングセルの前記送信ヌメロロジーに対応するサブキャリア間隔よりも大きい、
請求項１７に記載の装置。
【請求項１９】
前記サービングセルから受信された前記ＲＭＲ構成に関連する前記送信ヌメロロジーに対応するサブキャリア間隔は、前記ネイバリングセルの前記送信ヌメロロジーに対応するサブキャリア間隔よりも小さい、
請求項１７に記載の装置。
【請求項２０】
前記ＲＭＲは、ゼロ電力チャネル状態情報基準信号（ＺＰ  ＣＳＩ−ＲＳ）を含む、
請求項１５に記載の装置。
【請求項２１】
装置であって、
実行可能な命令を備える非一時的メモリと、
前記メモリとデータ通信しているプロセッサと
を備え、前記プロセッサは、前記装置に、
サービングセルからレートマッチングリソース（ＲＭＲ）構成を受信することと、
前記ＲＭＲ構成における物理アップリンク制御チャネル（ＰＵＣＣＨ）とサウンディング基準信号（ＳＲＳ）とに関係するシグナリング構成に少なくとも部分的に基づいて、物理アップリンク共有チャネル（ＰＵＳＣＨ）のために周辺でレートマッチングされるべき１つまたは複数の第１のリソース要素（ＲＥ）を識別することと、
物理アップリンク共有チャネル（ＰＵＳＣＨ）を、前記第１のＲＥを含まない１つまたは複数の第２のＲＥにマッピングすることと
を行わせるために前記命令を実行するように構成される、装置。
【請求項２２】
前記１つまたは複数の第１のＲＥは、前記サービングセルまたはネイバリングセルにおけるアップリンクロングＰＵＣＣＨ送信のために指定される、
請求項２１に記載の装置。
【請求項２３】
前記１つまたは複数の第１のＲＥは、前記サービングセルまたはネイバリングセルにおけるアップリンクロングＰＵＣＣＨ送信のために使用される、
請求項２１に記載の装置。
【請求項２４】
前記１つまたは複数の第１のＲＥは、前記サービングセルまたはネイバリングセルにおけるアップリンクショート持続時間に対応する、
請求項２１に記載の装置。
【請求項２５】
前記１つまたは複数の第１のＲＥは、前記サービングセルまたはネイバリングセルにおけるアップリンクショート持続時間中のアップリンクショートＰＵＣＣＨおよびＳＲＳ送信のために予約される、
請求項２１に記載の装置。
【請求項２６】
前記１つまたは複数の第１のＲＥは、前記サービングセルまたはネイバリングセルにおけるアップリンクショート持続時間中のアップリンクショートＰＵＣＣＨおよびＳＲＳを含む信号またはチャネルの送信のために使用される、
請求項２１に記載の装置。
【請求項２７】
前記識別することは、前記ＲＭＲ構成におけるアップリンク多入力多出力（ＭＩＭＯ）プリコーダにさらに基づく、
請求項２１に記載の装置。
【請求項２８】
前記ＲＭＲは、ゼロ電力チャネル状態情報基準信号（ＺＰ  ＣＳＩ−ＲＳ）を含む、
請求項２１に記載の装置。
【請求項２９】
ワイヤレス通信のための装置であって、
サービングセルからレートマッチングリソース（ＲＭＲ）構成を受信するための手段と、
前記ＲＭＲ構成に関連する送信ヌメロロジーに少なくとも部分的に基づいて、周辺でレートマッチングされるべき１つまたは複数の第１のリソース要素（ＲＥ）を識別するための手段、ここにおいて、前記１つまたは複数の第１のＲＥは、前記サービングセルまたはネイバリングセルにおける基準信号（ＲＳ）送信のために使用される、と、
物理ダウンリンク共有チャネル（ＰＤＳＣＨ）を、前記第１のＲＥを含まない１つまたは複数の第２のＲＥにマッピングするための手段と
を備える、装置。
【請求項３０】
ワイヤレス通信のための装置であって、
サービングセルからレートマッチングリソース（ＲＭＲ）構成を受信するための手段と、
前記ＲＭＲ構成における物理アップリンク制御チャネル（ＰＵＣＣＨ）とサウンディング基準信号（ＳＲＳ）とに関係するシグナリング構成に少なくとも部分的に基づいて、物理アップリンク共有チャネル（ＰＵＳＣＨ）のために周辺でレートマッチングされるべき１つまたは複数の第１のリソース要素（ＲＥ）を識別するための手段と、
物理アップリンク共有チャネル（ＰＵＳＣＨ）を、前記第１のＲＥを含まない１つまたは複数の第２のＲＥにマッピングするための手段と
を備える、装置。
【請求項３１】
ユーザ機器（ＵＥ）によって実行されたとき、前記ＵＥに、
サービングセルからレートマッチングリソース（ＲＭＲ）構成を受信することと、
前記ＲＭＲ構成に関連する送信ヌメロロジーに少なくとも部分的に基づいて、周辺でレートマッチングされるべき１つまたは複数の第１のリソース要素（ＲＥ）を識別すること、ここにおいて、前記１つまたは複数の第１のＲＥは、前記サービングセルまたはネイバリングセルにおける基準信号（ＲＳ）送信のために使用される、と、
物理ダウンリンク共有チャネル（ＰＤＳＣＨ）を、前記第１のＲＥを含まない１つまたは複数の第２のＲＥにマッピングすることと
を備える方法を実施させる命令を記憶した非一時的コンピュータ可読媒体。
【請求項３２】
ユーザ機器（ＵＥ）によって実行されたとき、前記ＵＥに、
サービングセルからレートマッチングリソース（ＲＭＲ）構成を受信することと、
前記ＲＭＲ構成における物理アップリンク制御チャネル（ＰＵＣＣＨ）とサウンディング基準信号（ＳＲＳ）とに関係するシグナリング構成に少なくとも部分的に基づいて、物理アップリンク共有チャネル（ＰＵＳＣＨ）のために周辺でレートマッチングされるべき１つまたは複数の第１のリソース要素（ＲＥ）を識別することと、
物理アップリンク共有チャネル（ＰＵＳＣＨ）を、前記第１のＲＥを含まない１つまたは複数の第２のＲＥにマッピングすることと
を備える、方法を実施させる命令を記憶した非一時的コンピュータ可読媒体。
【発明の詳細な説明】
【関連出願の相互参照】
【０００１】
[0001]本出願は、２０１７年９月２８日に出願された「RATE MATCHING FOR NEW RADIO (NR) PHYSICAL DOWNLINK SHARED CHANNEL (PDSCH) AND PHYSICAL UPLINK SHARED CHANNEL (PUSCH)」と題する出願第ＰＣＴ／ＣＮ２０１７／１０４０８１号の利益を主張する。上述の出願は、その全体が参照により本明細書に組み込まれる。
【技術分野】
【０００２】
[0002]本開示は、一般に通信システムに関し、より詳細には、新無線（ＮＲ：new radio）物理ダウンリンク共有チャネル（ＰＤＳＣＨ）および物理アップリンク共有チャネル（ＰＵＳＣＨ）についてのレートマッチングに関係する方法および装置に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例は、ロングタームエボリューション（ＬＴＥ（登録商標））システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]いくつかの例では、ワイヤレス多元接続通信システムは、場合によってはユーザ機器（ＵＥ）として知られる、複数の通信デバイスのための通信を各々が同時にサポートする、いくつかの基地局を含み得る。ＬＴＥまたはＬＴＥ−Ａネットワークでは、１つまたは複数の基地局のセットがｅノードＢ（ｅＮＢ）を定義し得る。他の例では（たとえば、次世代または５Ｇネットワークでは）、ワイヤレス多元接続通信システムは、いくつかの中央ユニット（ＣＵ）（たとえば、中央ノード（ＣＮ）、アクセスノードコントローラ（ＡＮＣ）など）と通信しているいくつかの分散型ユニット（ＤＵ）（たとえば、エッジユニット（ＥＵ）、エッジノード（ＥＮ）、無線ヘッド（ＲＨ）、スマート無線ヘッド（ＳＲＨ）、送信受信ポイント（ＴＲＰ）など）を含み得、ここで、中央ユニットと通信している１つまたは複数の分散型ユニットのセットは、アクセスノード（たとえば、新無線基地局（ＮＲ  ＢＳ）、新無線ノードＢ（ＮＲ  ＮＢ）、ネットワークノード、５Ｇ  ＮＢ、ｅＮＢなど）を定義し得る。基地局またはＤＵは、（たとえば、基地局からまたはＵＥへの送信のために）ダウンリンクチャネル上で、および（たとえば、ＵＥから基地局または分散型ユニットへの送信のために）アップリンクチャネル上でＵＥのセットと通信し得る。
【０００５】
[0005]これらの多元接続技術は、異なるワイヤレスデバイスが都市、国家、地域、さらには地球規模で通信することを可能にする共通プロトコルを与えるために様々な電気通信規格において採用されている。新生の電気通信規格の例は、新無線（ＮＲ）、たとえば、５Ｇ無線アクセスである。ＮＲは、第３世代パートナーシッププロジェクト（３ＧＰＰ（登録商標））によって公表されたＬＴＥモバイル規格の向上のセットである。ＮＲは、スペクトル効率を改善することと、コストを下げることと、サービスを改善することと、新しいスペクトルを利用することと、ダウンリンク（ＤＬ）上でおよびアップリンク（ＵＬ）上でサイクリックプレフィックス（ＣＰ）を用いたＯＦＤＭＡを使用して他のオープン規格とより良く統合することとによってモバイルブロードバンドインターネットアクセスをより良くサポートし、ならびにビームフォーミング、多入力多出力（ＭＩＭＯ）アンテナ技術、およびキャリアアグリゲーションをサポートするように設計されている。
【０００６】
[0006]しかしながら、モバイルブロードバンドアクセスに対する需要が増加し続けるにつれて、ＮＲ技術のさらなる改善についての要望がある。好ましくは、これらの改善は、他の多元接続技術と、これらの技術を採用する電気通信規格とに適用可能であるべきである。
【発明の概要】
【０００７】
[0007]本開示のシステム、方法、およびデバイスは、各々いくつかの態様を有し、それらの態様のうちの単一の態様が単独で本開示の望ましい属性を担うとは限らない。次に、以下の特許請求の範囲によって表される本開示の範囲を限定することなしに、いくつかの特徴が手短に説明される。この説明を考察すれば、特に「発明を実施するための形態」と題するセクションを読めば、本開示の特徴が、ワイヤレスネットワークにおけるアクセスポイントと局との間の改善された通信を含む利点をどのように提供するかが理解されよう。
【０００８】
[0008]いくつかの態様は、ユーザ機器（ＵＥ）によるワイヤレス通信のための方法を提供する。本方法は、概して、サービングセルからレートマッチングリソース（ＲＭＲ）構成を受信することと、ＲＭＲ構成に関連する送信ヌメロロジー（transmission numerology）に少なくとも部分的に基づいて、周辺でレートマッチングされるべき１つまたは複数の第１のリソース要素（ＲＥ）を識別することと、ここにおいて、１つまたは複数の第１のＲＥが、サービングセルまたはネイバリングセルにおける基準信号（ＲＳ）送信のために使用される、物理ダウンリンク共有チャネル（ＰＤＳＣＨ）を、第１のＲＥを含まない１つまたは複数の第２のＲＥにマッピングすることとを含む。
【０００９】
[0009]いくつかの態様は、ユーザ機器（ＵＥ）によるワイヤレス通信のための方法を提供する。本方法は、概して、サービングセルからレートマッチングリソース（ＲＭＲ）構成を受信することと、ＲＭＲ構成における物理アップリンク制御チャネル（ＰＵＣＣＨ）とサウンディング基準信号（ＳＲＳ）とに関係するシグナリング構成に少なくとも部分的に基づいて、物理アップリンク共有チャネル（ＰＵＳＣＨ）のために周辺でレートマッチングされるべき１つまたは複数の第１のリソース要素（ＲＥ）を識別することと、物理アップリンク共有チャネル（ＰＵＳＣＨ）を、第１のＲＥを含まない１つまたは複数の第２のＲＥにマッピングすることとを含む。
【００１０】
[0010]態様は、概して、添付の図面を参照しながら本明細書で実質的に説明され、添付の図面によって例示されるように、方法、装置、システム、コンピュータ可読媒体、および処理システムを含む。
【００１１】
[0011]上記および関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に示している。ただし、これらの特徴は、様々な態様の原理が採用され得る様々な方法のほんのいくつかを例示するものであり、この説明は、すべてのそのような態様およびそれらの均等物を含むものとする。
【図面の簡単な説明】
【００１２】
[0012]本開示の上記で具陳された特徴が詳細に理解され得るように、添付の図面にその一部が例示される態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図１】本開示のいくつかの態様による、一例の電気通信システムを概念的に例示するブロック図。
【図２】本開示のいくつかの態様による、分散型ＲＡＮの一例の論理アーキテクチャを例示するブロック図。
【図３】本開示のいくつかの態様による、分散型ＲＡＮの一例の物理アーキテクチャを例示する図。
【図４】本開示のいくつかの態様による、一例のＢＳおよびユーザ機器（ＵＥ）の設計を概念的に例示するブロック図。
【図５】本開示のいくつかの態様による、通信プロトコルスタックを実装するための例を示す図。
【図６】本開示のいくつかの態様による、ＤＬセントリックサブフレーム（centric subframe）の一例を例示する図。
【図７】本開示のいくつかの態様による、ＵＬセントリックサブフレームの一例を例示する図。
【図８】本開示のいくつかの態様による、２つのセルの重複カバレージエリア中にあるＵＥの一例を例示する図。
【図９】本開示の態様による、ワイヤレスデバイスによるワイヤレス通信のための一例の動作を例示する図。
【図９Ａ】図９に示されている動作のうちの１つまたは複数など、本明細書で開示される技法のための動作を実施するように構成された様々な構成要素を含み得るワイヤレス通信デバイスを例示する図。
【図１０】本開示の態様による、ネイバリングセルよりも大きいサブキャリア間隔（ＳＣＳ）を使用する主要なセルの一例を例示する図。
【図１１】本開示の態様による、ネイバリングセルよりも小さいサブキャリア間隔（ＳＣＳ）を使用する主要なセルの一例を例示する図。
【図１２】本開示の態様による、ワイヤレスデバイスによるワイヤレス通信のための一例の動作を例示する図。
【図１２Ａ】図１２に示されている動作のうちの１つまたは複数など、本明細書で開示される技法のための動作を実施するように構成された様々な構成要素を含み得るワイヤレス通信デバイスを例示する図。
【図１３Ａ】本開示の態様による、ロング（long）物理アップリンク制御チャネル（ＰＵＣＣＨ）のために予約されるアップリンク（ＵＬ）通常バースト（regular burst）中の半静的に構成されたリソースのセットを例示する図。
【図１３Ｂ】本開示の態様による、ロングＰＵＣＣＨ領域におけるすべてのリソース要素（ＲＥ）を回避するためのレートマッチングを例示する図。
【図１４Ａ】本開示の態様による、ロングＰＵＣＣＨのために予約されるＵＬ通常バースト中の半静的に構成されたリソースのセットを同じく例示する図。
【図１４Ｂ】本開示の態様による、ＰＵＳＣＨによって占有されるべき、ＰＵＣＣＨのために割り振られた領域中のＰＵＣＣＨによって占有されないＲＥを例示する図。
【図１５】本開示の態様による、スロットのＵＬショート持続時間（UL short duration）中の一例のシンボルを例示する図。
【図１６】本開示の態様による、一例のプリコーダセットを例示する図。
【図１７】本開示の態様による、一例のレートマッチングリソースを例示する図。
【００１３】
[0034]理解を容易にするために、可能な場合、各図に共通である同じ要素を指定するために同じ参照番号が使用されている。一態様において開示される要素が、特定の具陳なしに他の態様に対して有益に利用され得ることが企図される。
【発明を実施するための形態】
【００１４】
[0035]本開示の態様は、新無線（ＮＲ）物理ダウンリンク共有チャネル（ＰＤＳＣＨ）および物理アップリンク共有チャネル（ＰＵＳＣＨ）についてのレートマッチングに関係する方法および装置に関する。
【００１５】
[0036]本開示の態様は、新無線（ＮＲ）（新無線アクセス技術または５Ｇ技術）のための装置、方法、処理システム、およびコンピュータ可読媒体を提供する。
【００１６】
[0037]ＮＲは、（たとえば、８０ＭＨｚを超える）広帯域幅をターゲットにする拡張型モバイルブロードバンド（ｅＭＢＢ）、高いキャリア周波数（たとえば、６０ＧＨｚ）をターゲットするミリメートル波（ｍｍＷ）、非後方互換性ＭＴＣ技法をターゲットにするマッシブＭＴＣ（ｍＭＴＣ）、および／または超信頼型低レイテンシ通信（ＵＲＬＬＣ：ultra reliable low latency communications）をターゲットにするミッションクリティカルななど、様々なワイヤレス通信サービスをサポートし得る。これらのサービスは、レイテンシおよび信頼性要件を含み得る。これらのサービスは、それぞれのサービス品質（ＱｏＳ）要件を満たすために、異なる送信時間間隔（ＴＴＩ）をも有し得る。さらに、これらのサービスは、同じサブフレームにおいて共存し得る。
【００１７】
[0038]概して、ロングタームエボリューション（ＬＴＥ）規格または５Ｇ新無線（ＮＲ）規格などのワイヤレス規格に準拠するワイヤレスデバイスは、チャネル推定または等化のためにアップリンクおよびダウンリンク基準信号を使用する。いくつかの場合には、ダウンリンクまたはアップリンク基準信号との干渉は、基準信号の受信機による不正確な推定を生じ得る。これを防ぐために、たとえば、ダウンリンク基準信号を受信しているユーザ機器（ＵＥ）は、他のＵＥの非周期チャネル状態情報基準信号（Ａ−ＣＳＩ−ＲＳ）、他のセルのＣＳＩ−ＲＳ、他のセルの同期信号（ＳＳ）、（サウンディング基準信号（ＳＲＳ：sounding reference signal）が物理アップリンク共有チャネル（ＰＵＳＣＨ）と多重化され得る場合）Ａ−ＳＲＳのための非周期ＳＲＳ構造、（未使用物理アップリンク制御チャネル（ＰＵＣＣＨ）リソースがＰＵＳＣＨのために使用され得る場合）ＰＵＣＣＨ構造、レガシーシステムにおける信号／チャネル（たとえば、ＬＴＥセル固有基準信号（ＣＳＲ）／ＳＳ、位相追跡基準信号（ＰＴＲＳ）、トラッキング基準信号などからの干渉を回避する必要があり得る。
【００１８】
[0039]本明細書で説明されるいくつかの実施形態は、ＵＥが、物理ダウンリンク共有チャネル（ＰＤＳＣＨ）を送信するセル以外のセルから検出されるＣＳＩ−ＲＳ上の基準信号受信電力（ＲＳＲＰ）を正確に推定することを可能にするために、ネイバリングセルにおける非ゼロ電力ＣＳＩ−ＲＳ（ＮＺＰ  ＣＳＩ−ＲＳ）の周辺でＰＤＳＣＨレートマッチングを実施するようにＵＥを構成することに関する。また、本明細書で説明されるいくつかの実施形態は、アップリンク（ＵＬ）上で物理アップリンク制御チャネル（ＰＵＣＣＨ）の周辺でＰＵＳＣＨレートマッチングを実施するようにＵＥを構成することに関する。
【００１９】
[0040]以下の説明は、例を与えるものであり、特許請求の範囲に記載される範囲、適用性、または例を限定するものではない。本開示の範囲から逸脱することなく、説明された要素の機能および構成において変更が行われ得る。様々な例は、適宜に様々なプロシージャまたは構成要素を省略、置換、または追加し得る。たとえば、説明される方法は、説明される順序とは異なる順序で実施され得、様々なステップが追加、省略、または組み合わされ得る。また、いくつかの例に関して説明される特徴は、いくつかの他の例において組み合わされ得る。たとえば、本明細書に記載される態様を任意にいくつ使用しても、装置は実装され得、または方法は実施され得る。さらに、本開示の範囲は、本明細書に記載される本開示の様々な態様に加えてまたはそれらの態様以外に、他の構造、機能性、または構造および機能性を使用して実施されるそのような装置または方法をカバーするものとする。本明細書で開示される本開示のいずれの態様も、請求項の１つまたは複数の要素によって実施され得ることを理解されたい。「例示的」という単語は、「例、事例、または例示の働きをすること」を意味するために本明細書で使用される。「例示的」として本明細書で説明されるいかなる態様も、必ずしも他の態様よりも好適または有利なものと解釈されるべきではない。
【００２０】
[0041]本明細書で説明される技法は、ＬＴＥ、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、ＮＲ（たとえば、５Ｇ  ＲＡ）、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ）の一部である。ＮＲは、５Ｇ技術フォーラム（５ＧＴＦ）とともに開発中の新生のワイヤレス通信技術である。３ＧＰＰロングタームエボリューション（ＬＴＥ）およびＬＴＥアドバンスト（ＬＴＥ−Ａ）は、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書で説明される技法は、上記のワイヤレスネットワークおよび無線技術、ならびに他のワイヤレスネットワークおよび無線技術に使用され得る。明快のために、本明細書では、３Ｇおよび／または４Ｇのワイヤレス技術に一般に関連する用語を使用して態様が説明され得るが、本開示の態様は、ＮＲ技術を含む、５Ｇ以降など、他の世代ベースの通信システムにおいて適用され得る。  
一例のワイヤレス通信システム
【００２１】
[0042]図１は、本開示の態様が実施され得る、新無線（ＮＲ）ネットワークまたは５Ｇネットワークなど、一例のワイヤレスネットワーク１００を例示する。たとえば、ＵＥ１２０は、図９の動作９０００ならびに図１２の動作１２００を実施し得る。
【００２２】
[0043]図１に示されているように、ワイヤレスネットワーク１００は、いくつかのＢＳ１１０と他のネットワークエンティティとを含み得る。ＢＳはＵＥと通信する局であり得る。各ＢＳ１１０は、特定の地理的エリアに通信カバレージを提供し得る。３ＧＰＰでは、「セル」という用語は、この用語が使用されるコンテキストに応じて、ノードＢのカバレージエリアおよび／またはこのカバレージエリアをサービスするノードＢサブシステムを指すことがある。ＮＲシステムでは、「セル」およびｅＮＢ、ノードＢ、５Ｇ  ＮＢ、ＡＰ、ＮＲ  ＢＳ、ＮＲ  ＢＳ、またはＴＲＰという用語は互換性があり得る。いくつかの例では、セルは、必ずしも固定であるとは限らないことがあり、セルの地理的エリアは、モバイル基地局のロケーションに従って移動し得る。いくつかの例では、基地局は、任意の好適なトランスポートネットワークを使用して、直接物理接続、仮想ネットワークなど、様々なタイプのバックホールインターフェースを通して互いに、および／またはワイヤレスネットワーク１００における１つまたは複数の他の基地局またはネットワークノード（図示せず）に相互接続され得る。
【００２３】
[0044]概して、任意の数のワイヤレスネットワークが所与の地理的エリア中に展開され得る。各ワイヤレスネットワークは、特定の無線アクセス技術（ＲＡＴ）をサポートし得、１つまたは複数の周波数上で動作し得る。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間での干渉を回避するために、所与の地理的エリア中の単一のＲＡＴをサポートし得る。いくつかの場合には、ＮＲまたは５Ｇ  ＲＡＴネットワークが展開され得る。
【００２４】
[0045]ＢＳは、マクロセル、ピコセル、フェムトセル、および／または他のタイプのセルに通信カバレージを提供し得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連付けを有するＵＥ（たとえば、限定加入者グループ（ＣＳＧ）中のＵＥ、自宅内のユーザのためのＵＥなど）による制限付きアクセスを可能にし得る。マクロセルのためのＢＳはマクロＢＳと呼ばれることがある。ピコセルのためのＢＳはピコＢＳと呼ばれることがある。フェムトセルのためのＢＳは、フェムトＢＳまたはホームＢＳと呼ばれることがある。図１に示されている例では、ＢＳ１１０ａ、１１０ｂおよび１１０ｃは、それぞれマクロセル１０２ａ、１０２ｂおよび１０２ｃのためのマクロＢＳであり得る。ＢＳ１１０ｘは、ピコセル１０２ｘのためのピコＢＳであり得る。ＢＳ１１０ｙおよび１１０ｚは、それぞれフェムトセル１０２ｙおよび１０２ｚのためのフェムトＢＳであり得る。ＢＳは、１つまたは複数の（たとえば、３つの）セルをサポートし得る。
【００２５】
[0046]ワイヤレスネットワーク１００はまた、中継局を含み得る。中継局は、上流局（たとえば、ＢＳまたはＵＥ）からデータおよび／または他の情報の送信を受信し、そのデータおよび／または他の情報の送信を下流局（たとえば、ＵＥまたはＢＳ）に送る局である。中継局はまた、他のＵＥに対する送信を中継するＵＥであり得る。図１に示されている例では、中継局１１０ｒは、ＢＳ１１０ａとＵＥ１２０ｒとの間の通信を可能にするために、ＢＳ１１０ａおよびＵＥ１２０ｒと通信し得る。中継局は、リレーＢＳ、リレーなどと呼ばれることもある。
【００２６】
[0047]ワイヤレスネットワーク１００は、異なるタイプのＢＳ、たとえば、マクロＢＳ、ピコＢＳ、フェムトＢＳ、リレーなどを含む異種ネットワークであり得る。これらの様々なタイプのＢＳは、様々な送信電力レベル、様々なカバレージエリア、およびワイヤレスネットワーク１００における干渉に対する様々な影響を有し得る。たとえば、マクロＢＳは、高い送信電力レベル（たとえば、２０ワット）を有し得るが、ピコＢＳ、フェムトＢＳ、およびリレーは、より低い送信電力レベル（たとえば、１ワット）を有し得る。
【００２７】
[0048]ワイヤレスネットワーク１００は、同期動作または非同期動作をサポートし得る。同期動作の場合、ＢＳは同様のフレームタイミングを有し得、異なるＢＳからの送信は近似的に時間的に整合され得る。非同期動作の場合、ＢＳは異なるフレームタイミングを有し得、異なるＢＳからの送信は時間的に整合されないことがある。本明細書で説明される技法は、同期動作と非同期動作の両方のために使用され得る。
【００２８】
[0049]ネットワークコントローラ１３０は、ＢＳのセットに結合され、これらのＢＳの協調および制御を行い得る。ネットワークコントローラ１３０は、バックホールを介してＢＳ１１０と通信し得る。ＢＳ１１０はまた、たとえば、ワイヤレスバックホールまたはワイヤラインバックホールを介して直接または間接的に互いに通信し得る。
【００２９】
[0050]ＵＥ１２０（たとえば、１２０ｘ、１２０ｙなど）はワイヤレスネットワーク１００全体にわたって分散され得、各ＵＥは固定または移動であり得る。ＵＥは、移動局、端末、アクセス端末、加入者ユニット、局、顧客構内機器（ＣＰＥ）、セルラーフォン、スマートフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスもしくは医療機器、生体センサー／デバイス、スマートウォッチ、スマートクロージング、スマートグラス、スマートリストバンドなどのウェアラブルデバイス、スマートジュエリー（たとえば、スマートリング、スマートブレスレットなど）、エンターテインメントデバイス（たとえば、音楽デバイス、ビデオデバイス、衛星ラジオなど）、車両コンポーネントもしくはセンサー、スマートメーター／センサー、産業用製造装置、全地球測位システムデバイス、またはワイヤレスもしくはワイヤード媒体を介して通信するように構成された任意の他の好適なデバイスと呼ばれることもある。いくつかのＵＥは、発展型もしくはマシンタイプ通信（ＭＴＣ）デバイスまたは発展型ＭＴＣ（ｅＭＴＣ）デバイスと見なされ得る。ＭＴＣ  ＵＥおよびｅＭＴＣ  ＵＥは、たとえば、ＢＳ、別のデバイス（たとえば、リモートデバイス）、または何らかの他のエンティティと通信し得る、ロボット、ドローン、リモートデバイス、センサー、メーター、モニタ、ロケーションタグなどを含む。ワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。いくつかのＵＥは、モノのインターネット（ＩｏＴ）デバイスと見なされ得る。図１では、両矢印付きの実線は、ダウンリンクおよび／またはアップリンク上での、ＵＥと、そのＵＥをサービスするように指定されたＢＳであるサービングＢＳとの間の所望の送信を示す。両矢印付きの破線は、ＵＥとＢＳとの間の干渉送信を示す。
【００３０】
[0051]いくつかのワイヤレスネットワーク（たとえば、ＬＴＥ）は、ダウンリンク上で直交周波数分割多重（ＯＦＤＭ）を利用し、アップリンク上でシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（または１８０ｋＨｚ）であり得る。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのリソースブロック）をカバーし得、１．２５、２．５、５、１０または２０ＭＨｚのシステム帯域幅に対してそれぞれ１、２、４、８または１６個のサブバンドがあり得る。
【００３１】
[0052]本明細書で説明される例の態様は、ＬＴＥ技術に関連し得るが、本開示の態様は、ＮＲなど、他のワイヤレス通信システムとともに適用可能であり得る。ＮＲは、アップリンクおよびダウンリンク上でＣＰを用いたＯＦＤＭを利用し、時分割複信（ＴＤＤ）を使用する半二重動作のサポートを含み得る。１００ＭＨｚの単一のコンポーネントキャリア帯域幅がサポートされ得る。ＮＲリソースブロックは、０．１ｍｓ持続時間にわたって７５ｋＨｚのサブキャリア帯域幅をもつ１２個のサブキャリアにわたり得る。各無線フレームは、１０ｍｓの長さをもつ５０個のサブフレームからなり得る。したがって、各サブフレームは、０．２ｍｓの長さを有し得る。各サブフレームは、データ送信のためのリンク方向（すなわち、ＤＬまたはＵＬ）を示し得、各サブフレームについてのリンク方向は、動的に切り替えられ得る。各サブフレームは、ＤＬ／ＵＬデータならびにＤＬ／ＵＬ制御データを含み得る。ＮＲのためのＵＬおよびＤＬサブフレームは、以下でより詳細に説明される通りであり得る。ビームフォーミングがサポートされ得、ビーム方向は動的に構成され得る。プリコーディングを用いたＭＩＭＯ送信もサポートされ得る。ＤＬにおけるＭＩＭＯ構成は、最高８つのストリームおよびＵＥごとに最高２つのストリームのマルチレイヤＤＬ送信を用いて、最高８つの送信アンテナをサポートし得る。ＵＥごとに最高２つのストリームを用いるマルチレイヤ送信がサポートされ得る。複数のセルのアグリゲーションが、最高８つのサービングセルを用いてサポートされ得る。代替的に、ＮＲは、ＯＦＤＭベース以外の、異なるエアインターフェースをサポートし得る。ＮＲネットワークは、ＣＵおよび／またはＤＵのようなエンティティを含み得る。
【００３２】
[0053]いくつかの例では、エアインターフェースへのアクセスがスケジュールされ得、ここにおいて、スケジューリングエンティティ（たとえば、基地局）は、それのサービスエリアまたはセル内の一部または全部のデバイスおよび機器の間の通信にリソースを割り振る。本開示内では、以下でさらに説明されるように、スケジューリングエンティティは、１つまたは複数の下位エンティティのためのリソースをスケジュールし、割り当て、再構成し、解放することを担当し得る。すなわち、スケジュールされた通信について、下位エンティティは、スケジューリングエンティティによって割り振られたリソースを利用する。基地局は、スケジューリングエンティティとして機能し得る唯一のエンティティではない。すなわち、いくつかの例では、ＵＥは、１つまたは複数の下位エンティティ（たとえば、１つまたは複数の他のＵＥ）のためのスケジューリングエンティティ、スケジューリングリソースとして機能し得る。この例では、ＵＥは、スケジューリングエンティティとして機能しており、他のＵＥは、ワイヤレス通信のためにＵＥによってスケジュールされたリソースを利用する。ＵＥは、ピアツーピア（Ｐ２Ｐ）ネットワークにおいて、および／またはメッシュネットワークにおいてスケジューリングエンティティとして機能し得る。メッシュネットワーク例では、ＵＥは、スケジューリングエンティティと通信することに加えて、随意に、互いと直接通信し得る。
【００３３】
[0054]したがって、時間周波数リソースへのスケジュールされたアクセスを用いた、セルラー構成、Ｐ２Ｐ構成、およびメッシュ構成を有するワイヤレス通信ネットワークでは、スケジューリングエンティティおよび１つまたは複数の下位エンティティは、スケジュールされたリソースを利用して通信し得る。
【００３４】
[0055]上述のように、ＲＡＮはＣＵおよびＤＵを含み得る。ＮＲ  ＢＳ（たとえば、ｅＮＢ、５ＧノードＢ、ノードＢ、送信受信ポイント（ＴＲＰ）、アクセスポイント（ＡＰ））は、１つまたは複数のＢＳに対応し得る。ＮＲセルは、アクセスセル（ＡＣｅｌｌ）またはデータオンリーセル（ＤＣｅｌｌ）として構成され得る。たとえば、ＲＡＮ（たとえば、中央ユニットまたは分散型ユニット）がセルを構成し得る。ＤＣｅｌｌは、キャリアアグリゲーションまたはデュアル接続性のために使用されるが、初期アクセス、セル選択／再選択、またはハンドオーバのために使用されないセルであり得る。いくつかの場合には、ＤＣｅｌｌは同期信号を送信しないことがあり、いくつかの場合には、ＤＣｅｌｌはＳＳを送信することがある。ＮＲ  ＢＳは、セルタイプを示すダウンリンク信号をＵＥに送信し得る。セルタイプインジケーションに基づいて、ＵＥは、ＮＲ  ＢＳと通信し得る。たとえば、ＵＥは、示されたセルタイプに基づいて、セル選択、アクセス、ハンドオーバ、および／または測定のために考慮すべきＮＲ  ＢＳを決定し得る。
【００３５】
[0056]図２は、図１に示されているワイヤレス通信システムにおいて実装され得る、分散型無線アクセスネットワーク（ＲＡＮ）２００の一例の論理アーキテクチャを例示する。５Ｇアクセスノード２０６は、アクセスノードコントローラ（ＡＮＣ）２０２を含み得る。ＡＮＣは、分散型ＲＡＮ２００の中央ユニット（ＣＵ）であり得る。次世代コアネットワーク（ＮＧ−ＣＮ）２０４へのバックホールインターフェースは、ＡＮＣにおいて終端し得る。ネイバリング次世代アクセスノード（ＮＧ−ＡＮ）へのバックホールインターフェースは、ＡＮＣにおいて終端し得る。ＡＮＣは、（ＢＳ、ＮＲ  ＢＳ、ノードＢ、５Ｇ  ＮＢ、ＡＰ、または何らかの他の用語で呼ばれることもある）１つまたは複数のＴＲＰ２０８を含み得る。上記で説明されたように、ＴＲＰは、「セル」と互換的に使用され得る。
【００３６】
[0057]ＴＲＰ２０８はＤＵであり得る。ＴＲＰは、１つのＡＮＣ（ＡＮＣ２０２）または（示されていない）２つ以上のＡＮＣに接続され得る。たとえば、ＲＡＮ共有、サービスとしての無線（ＲａａＳ：radio as a service）、およびサービス固有ＡＮＤ配置の場合、ＴＲＰは２つ以上のＡＮＣに接続され得る。ＴＲＰは１つまたは複数のアンテナポートを含み得る。ＴＲＰは、ＵＥにトラフィックを、個々にサービスする（たとえば、動的選択）か、または一緒にサービスする（たとえば、ジョイント送信）ように構成され得る。
【００３７】
[0058]ローカルアーキテクチャ２００は、フロントホール定義を例示するために使用され得る。異なる展開タイプにわたってフロントホーリングソリューションをサポートするアーキテクチャが定義され得る。たとえば、アーキテクチャは、送信ネットワーク能力（たとえば、帯域幅、レイテンシ、および／またはジッタ）に基づき得る。
【００３８】
[0059]アーキテクチャは、ＬＴＥと特徴および／または構成要素を共有し得る。態様によれば、次世代ＡＮ（ＮＧ−ＡＮ）２１０は、ＮＲとのデュアル接続性をサポートし得る。ＮＧ−ＡＮは、ＬＴＥおよびＮＲについて共通フロントホールを共有し得る。
【００３９】
[0060]アーキテクチャは、ＴＲＰ２０８間の協働を可能にし得る。たとえば、協働は、ＡＮＣ２０２を介してＴＲＰ内でおよび／またはＴＲＰにわたってプリセットされ得る。態様によれば、ＴＲＰ間インターフェースは、必要とされない／存在しないことがある。
【００４０】
[0061]態様によれば、分割された論理機能の動的構成が、アーキテクチャ２００内に存在し得る。図５を参照しながらより詳細に説明されるように、無線リソース制御（ＲＲＣ）レイヤ、パケットデータコンバージェンスプロトコル（ＰＤＣＰ）レイヤ、無線リンク制御（ＲＬＣ）レイヤ、媒体アクセス制御（ＭＡＣ）レイヤ、および物理（ＰＨＹ）レイヤが、ＤＵまたはＣＵ（たとえば、それぞれＴＲＰまたはＡＮＣ）に適応的に配置され得る。いくつかの態様によれば、ＢＳは、中央ユニット（ＣＵ）（たとえば、ＡＮＣ２０２）および／または１つもしくは複数の分散型ユニット（たとえば、１つまたは複数のＴＲＰ２０８）を含み得る。
【００４１】
[0062]図３は、本開示の態様による、分散型ＲＡＮ３００の一例の物理アーキテクチャを例示する。集中型コアネットワークユニット（Ｃ−ＣＵ）３０２は、コアネットワーク機能をホストし得る。Ｃ−ＣＵは中央に展開され得る。Ｃ−ＣＵ機能性は、ピーク容量を扱おうとして、（たとえば、高度ワイヤレスサービス（ＡＷＳ）に）オフロードされ得る。
【００４２】
[0063]集中型ＲＡＮユニット（Ｃ−ＲＵ）３０４は、１つまたは複数のＡＮＣ機能をホストし得る。随意に、Ｃ−ＲＵは、ローカルにコアネットワーク機能をホストし得る。Ｃ−ＲＵは分散型展開を有し得る。Ｃ−ＲＵはネットワークエッジにより近いことがある。
【００４３】
[0064]ＤＵ３０６は、１つまたは複数のＴＲＰ（エッジノード（ＥＮ）、エッジユニット（ＥＵ）、無線ヘッド（ＲＨ）、スマート無線ヘッド（ＳＲＨ）など）をホストし得る。ＤＵは、無線周波数（ＲＦ）機能性をもつネットワークのエッジに位置し得る。
【００４４】
[0065]図４は、本開示の態様を実装するために使用され得る、図１に示されているＢＳ１１０およびＵＥ１２０の一例の構成要素を例示する。上記で説明されたように、ＢＳはＴＲＰを含み得る。ＢＳ１１０およびＵＥ１２０の１つまたは複数の構成要素は、本開示の態様を実施するために使用され得る。たとえば、ＵＥ１２０のアンテナ４５２、Ｔｘ／Ｒｘ２２２、プロセッサ４６６、４５８、４６４、および／またはコントローラ／プロセッサ４８０ならびに／あるいはＢＳ１１０のアンテナ４３４、プロセッサ４６０、４２０、４３８、および／またはコントローラ／プロセッサ４４０が、本明細書で説明される動作（たとえば、図９の動作９０００ならびに図１２の動作１２００）を実施するために使用され得る。
【００４５】
[0066]図４は、図１中のＢＳのうちの１つであり得るＢＳ１１０、および図１中のＵＥのうちの１つであり得るＵＥ１２０の設計のブロック図を示す。制限付き関連付けシナリオの場合、基地局１１０は図１中のマクロＢＳ１１０ｃであり得、ＵＥ１２０はＵＥ１２０ｙであり得る。基地局１１０はまた、何らかの他のタイプの基地局であり得る。基地局１１０はアンテナ４３４ａ〜４３４ｔを装備し得、ＵＥ１２０はアンテナ４５２ａ〜４５２ｒを装備し得る。
【００４６】
[0067]基地局１１０において、送信プロセッサ４２０は、データソース４１２からデータを受信し、コントローラ／プロセッサ４４０から制御情報を受信し得る。制御情報は、物理ブロードキャストチャネル（ＰＢＣＨ）、物理制御フォーマットインジケータチャネル（ＰＣＦＩＣＨ）、物理ハイブリッドＡＲＱインジケータチャネル（ＰＨＩＣＨ）、物理ダウンリンク制御チャネル（ＰＤＣＣＨ）などのためのものであり得る。データは物理ダウンリンク共有チャネル（ＰＤＳＣＨ）などのためのものであり得る。プロセッサ４２０は、データシンボルおよび制御シンボルを取得するために、それぞれデータおよび制御情報を処理（たとえば、符号化およびシンボルマッピング）し得る。プロセッサ４２０はまた、たとえば、ＰＳＳ、ＳＳＳ、およびセル固有基準信号のための基準シンボルを生成し得る。送信（ＴＸ）多入力多出力（ＭＩＭＯ）プロセッサ４３０が、適用可能な場合、データシンボル、制御シンボル、および／または基準シンボルに対して空間処理（たとえば、プリコーディング）を実施し得、出力シンボルストリームを変調器（ＭＯＤ）４３２ａ〜４３２ｔに与え得る。たとえば、ＴＸ  ＭＩＭＯプロセッサ４３０は、ＲＳ多重化のために、本明細書に記載されたいくつかの態様を実施し得る。各変調器４３２は、出力サンプルストリームを取得するために、（たとえば、ＯＦＤＭなどのための）それぞれの出力シンボルストリームを処理し得る。各変調器４３２は、さらに、ダウンリンク信号を取得するために、出力サンプルストリームを処理（たとえば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。
【００４７】
[0068]ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに与え得る。各復調器４５４は、入力サンプルを取得するために、それぞれの受信信号を調整（たとえば、フィルタ処理、増幅、ダウンコンバート、およびデジタル化）し得る。各復調器４５４は、さらに、受信シンボルを取得するために、（たとえば、ＯＦＤＭなどのための）入力サンプルを処理し得る。ＭＩＭＯ検出器４５６は、すべての復調器４５４ａ〜４５４ｒから受信シンボルを取得し、適用可能な場合は受信シンボルに対してＭＩＭＯ検出を実施し、検出されたシンボルを与え得る。たとえば、ＭＩＭＯ検出器４５６は、本明細書で説明される技法を使用して送信された、検出されたＲＳを与え得る。受信プロセッサ４５８は、検出されたシンボルを処理（たとえば、復調、デインターリーブ、および復号）し、ＵＥ１２０の復号されたデータをデータシンク４６０に与え、復号された制御情報をコントローラ／プロセッサ４８０に与え得る。１つまたは複数のケースによれば、ＣｏＭＰ態様は、アンテナならびにいくつかのＴｘ／Ｒｘ機能性が分散型ユニット中に存在するように、それらを与えることを含むことができる。たとえば、いくつかのＴｘ／Ｒｘ処理は中央ユニット中で行われ得るが、他の処理は分散型ユニットにおいて行われ得る。たとえば、図に示されている１つまたは複数の態様によれば、ＢＳのｍｏｄ／ｄｅｍｏｄ４３２は分散型ユニット中にあり得る。
【００４８】
[0069]アップリンク上では、ＵＥ１２０において、送信プロセッサ４６４が、データソース４６２から（たとえば、物理アップリンク共有チャネル（ＰＵＳＣＨ）のための）データを受信し、処理し得、コントローラ／プロセッサ４８０から（たとえば、物理アップリンク制御チャネル（ＰＵＣＣＨ）のための制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）復調器４５４ａ〜４５４ｒによって処理され、基地局１１０に送信され得る。ＢＳ１１０において、ＵＥ１２０からのアップリンク信号は、アンテナ４３４によって受信され、変調器４３２によって処理され、適用可能な場合はＭＩＭＯ検出器４３６によって検出され、さらに受信プロセッサ４３８によって処理されて、ＵＥ１２０によって送られた復号されたデータおよび制御情報が取得され得る。受信プロセッサ４３８は、復号されたデータをデータシンク４３９に与え、復号された制御情報をコントローラ／プロセッサ４４０に与え得る。
【００４９】
[0070]コントローラ／プロセッサ４４０および４８０は、それぞれ基地局１１０およびＵＥ１２０における動作を指示し得る。基地局１１０におけるプロセッサ４４０ならびに／または他のプロセッサおよびモジュールは、たとえば、図９に示されている機能ブロック、および／または本明細書で説明される技法のための他のプロセスの実行を実施または指示し得る。また、ＵＥ１２０におけるプロセッサ４８０ならびに／または他のプロセッサおよびモジュールは、本明細書で説明される技法のためのプロセスを実施または指示し得る。メモリ４４２および４８２は、それぞれＢＳ１１０およびＵＥ１２０のためのデータおよびプログラムコードを記憶し得る。スケジューラ４４４は、ダウンリンクおよび／またはアップリンク上でのデータ送信のためにＵＥをスケジュールし得る。
【００５０】
[0071]図５は、本開示の態様による、通信プロトコルスタックを実装するための例を示す図５００を例示する。示されている通信プロトコルスタックは、５Ｇシステム（たとえば、アップリンクベースモビリティをサポートするシステム）において動作するデバイスによって実装され得る。図５００は、無線リソース制御（ＲＲＣ）レイヤ５１０、パケットデータコンバージェンスプロトコル（ＰＤＣＰ）レイヤ５１５、無線リンク制御（ＲＬＣ）レイヤ５２０、媒体アクセス制御（ＭＡＣ）レイヤ５２５、および物理（ＰＨＹ）レイヤ５３０を含む通信プロトコルスタックを例示する。様々な例では、プロトコルスタックのレイヤは、ソフトウェアの別個のモジュール、プロセッサもしくはＡＳＩＣの部分、通信リンクによって接続されたコロケートされていないデバイスの部分、またはそれらの様々な組合せとして実装され得る。たとえば、ネットワークアクセスデバイス（たとえば、ＡＮ、ＣＵ、および／またはＤＵ）またはＵＥのためのプロトコルスタックにおいて、コロケートされた実装形態およびコロケートされていない実装形態が使用され得る。
【００５１】
[0072]第１のオプション５０５−ａは、プロトコルスタックの実装が、集中型ネットワークアクセスデバイス（たとえば、図２中のＡＮＣ２０２）と分散型ネットワークアクセスデバイス（たとえば、図２中のＤＵ２０８）との間で分割された、プロトコルスタックの分割された実装形態を示す。第１のオプション５０５−ａでは、ＲＲＣレイヤ５１０およびＰＤＣＰレイヤ５１５は、中央ユニットによって実装され得、ＲＬＣレイヤ５２０、ＭＡＣレイヤ５２５、およびＰＨＹレイヤ５３０は、ＤＵによって実装され得る。様々な例では、ＣＵおよびＤＵは、コロケートされることもコロケートされないこともある。第１のオプション５０５−ａは、マクロセル、マイクロセル、またはピコセル展開において有用であり得る。
【００５２】
[0073]第２のオプション５０５−ｂは、プロトコルスタックが、単一のネットワークアクセスデバイス（たとえば、アクセスノード（ＡＮ）、新無線基地局（ＮＲ  ＢＳ）、新無線ノードＢ（ＮＲ  ＮＢ）、ネットワークノード（ＮＮ）など）において実装された、プロトコルスタックの統合された実装形態を示す。第２のオプションでは、ＲＲＣレイヤ５１０、ＰＤＣＰレイヤ５１５、ＲＬＣレイヤ５２０、ＭＡＣレイヤ５２５、およびＰＨＹレイヤ５３０は、各々ＡＮによって実装され得る。第２のオプション５０５−ｂは、フェムトセル展開において有用であり得る。
【００５３】
[0074]ネットワークアクセスデバイスが、プロトコルスタックの一部を実装するのか全部を実装するのかにかかわらず、ＵＥは、プロトコルスタック全体（たとえば、ＲＲＣレイヤ５１０、ＰＤＣＰレイヤ５１５、ＲＬＣレイヤ５２０、ＭＡＣレイヤ５２５、およびＰＨＹレイヤ５３０）を実装し得る。
【００５４】
[0075]図６は、ＤＬセントリックサブフレームの一例を示す図６００である。ＤＬセントリックサブフレームは制御部分６０２を含み得る。制御部分６０２は、ＤＬセントリックサブフレームの初期または開始部分中に存在し得る。制御部分６０２は、ＤＬセントリックサブフレームの様々な部分に対応する様々なスケジューリング情報および／または制御情報を含み得る。いくつかの構成では、制御部分６０２は、図６に示されているように、物理ＤＬ制御チャネル（ＰＤＣＣＨ）であり得る。ＤＬセントリックサブフレームは、ＤＬデータ部分６０４をも含み得る。ＤＬデータ部分６０４は、時々、ＤＬセントリックサブフレームのペイロードと呼ばれることがある。ＤＬデータ部分６０４は、スケジューリングエンティティ（たとえば、ＵＥまたはＢＳ）から下位エンティティ（たとえば、ＵＥ）にＤＬデータを通信するために利用される通信リソースを含み得る。いくつかの構成では、ＤＬデータ部分６０４は、物理ＤＬ共有チャネル（ＰＤＳＣＨ）であり得る。
【００５５】
[0076]ＤＬセントリックサブフレームは、共通ＵＬ部分６０６をも含み得る。共通ＵＬ部分６０６は、時々、ＵＬバースト、共通ＵＬバースト、および／または様々な他の好適な用語で呼ばれることがある。共通ＵＬ部分６０６は、ＤＬセントリックサブフレームの様々な他の部分に対応するフィードバック情報を含み得る。たとえば、共通ＵＬ部分６０６は、制御部分６０２に対応するフィードバック情報を含み得る。フィードバック情報の非限定的な例は、ＡＣＫ信号、ＮＡＣＫ信号、ＨＡＲＱインジケータ、および／または様々な他の好適なタイプの情報を含み得る。共通ＵＬ部分６０６は、ランダムアクセスチャネル（ＲＡＣＨ）プロシージャに関係する情報、スケジューリング要求（ＳＲ）、および様々な他の好適なタイプの情報など、追加または代替の情報を含み得る。図６に示されているように、ＤＬデータ部分６０４の終端は、共通ＵＬ部分６０６の始端から時間的に分離され得る。この時間分離は、時々、ギャップ、ガード期間、ガードインターバル、および／または様々な他の好適な用語で呼ばれることがある。この分離は、ＤＬ通信（たとえば、下位エンティティ（たとえば、ＵＥ）による受信動作）からＵＬ通信（たとえば、下位エンティティ（たとえば、ＵＥ）による送信）へのスイッチオーバーのための時間を与える。当業者は、上記が、ＤＬセントリックサブフレームの一例にすぎず、同様の特徴を有する代替構造が、本明細書で説明される態様から必ずしも逸脱することなしに存在し得ることを理解するであろう。
【００５６】
[0077]図７は、ＵＬセントリックサブフレームの一例を示す図７００である。ＵＬセントリックサブフレームは制御部分７０２を含み得る。制御部分７０２は、ＵＬセントリックサブフレームの初期部分または開始部分中に存在し得る。図７中の制御部分７０２は、図６を参照しながら上記で説明された制御部分と同様であり得る。ＵＬセントリックサブフレームは、ＵＬデータ部分７０４をも含み得る。ＵＬデータ部分７０４は、時々、ＵＬセントリックサブフレームのペイロードと呼ばれることがある。ＵＬデータ部分は、下位エンティティ（たとえば、ＵＥ）からスケジューリングエンティティ（たとえば、ＵＥまたはＢＳ）にＵＬデータを通信するために利用される通信リソースを指し得る。いくつかの構成では、制御部分７０２は、物理ＤＬ制御チャネル（ＰＤＣＣＨ）であり得る。
【００５７】
[0078]図７に示されているように、制御部分７０２の終端は、ＵＬデータ部分７０４の始端から時間的に分離され得る。この時間分離は、時々、ギャップ、ガード期間、ガードインターバル、および／または様々な他の好適な用語で呼ばれることがある。この分離は、ＤＬ通信（たとえば、スケジューリングエンティティによる受信動作）からＵＬ通信（たとえば、スケジューリングエンティティによる送信）へのスイッチオーバーのための時間を与える。ＵＬセントリックサブフレームは、共通ＵＬ部分７０６をも含み得る。図７中の共通ＵＬ部分７０６は、図７を参照しながら上記で説明された共通ＵＬ部分７０６と同様であり得る。共通ＵＬ部分７０６は、追加または代替として、チャネル品質インジケータ（ＣＱＩ）に関係する情報、サウンディング基準信号（ＳＲＳ）、および様々な他の好適なタイプの情報を含み得る。当業者は、上記が、ＵＬセントリックサブフレームの一例にすぎず、同様の特徴を有する代替構造が、本明細書で説明される態様から必ずしも逸脱することなしに存在し得ることを理解するであろう。
【００５８】
[0079]いくつかの状況では、２つまたはそれ以上の下位エンティティ（たとえば、ＵＥ）が、サイドリンク信号を使用して互いと通信し得る。そのようなサイドリンク通信の現実世界の適用例は、公共安全、近接サービス、ＵＥネットワーク間中継、車両間（Ｖ２Ｖ）通信、あらゆるモノのインターネット（ＩｏＥ）通信、ＩｏＴ通信、ミッションクリティカルなメッシュ、および／または様々な他の好適な適用例を含み得る。概して、サイドリンク信号は、スケジューリングエンティティ（たとえば、ＵＥまたはＢＳ）が、スケジューリングおよび／または制御目的のために利用され得るが、スケジューリングエンティティを通してその通信を中継することなしに、ある下位エンティティ（たとえば、ＵＥ１）から別の下位エンティティ（たとえば、ＵＥ２）に通信される信号を指し得る。いくつかの例では、サイドリンク信号は、（一般的に、無認可スペクトルを使用するワイヤレスローカルエリアネットワークとは異なり）認可スペクトルを使用して通信され得る。
【００５９】
[0080]ＵＥは、リソースの専用セットを使用してパイロットを送信することに関連する構成（たとえば、無線リソース制御（ＲＲＣ）専用状態など）、またはリソースの共通セットを使用してパイロットを送信することに関連する構成（たとえば、ＲＲＣ共通状態など）を含む、様々な無線リソース構成において動作し得る。ＲＲＣ専用状態において動作するとき、ＵＥは、ネットワークにパイロット信号を送信するためのリソースの専用セットを選択し得る。ＲＲＣ共通状態において動作するとき、ＵＥは、ネットワークにパイロット信号を送信するためのリソースの共通セットを選択し得る。いずれの場合も、ＵＥによって送信されたパイロット信号は、ＡＮ、もしくはＤＵ、またはそれらの部分など、１つまたは複数のネットワークアクセスデバイスによって受信され得る。各受信ネットワークアクセスデバイスは、リソースの共通セット上で送信されたパイロット信号を受信および測定し、また、ネットワークアクセスデバイスが、それについて、ＵＥのためのネットワークアクセスデバイスの監視セットのメンバーであるＵＥに割り振られたリソースの専用セット上で送信されたパイロット信号を受信および測定するように構成され得る。受信ネットワークアクセスデバイスのうちの１つもしくは複数、または受信ネットワークアクセスデバイスが、パイロット信号の測定値をそれに送信するＣＵは、ＵＥのためのサービングセルを識別するために、またはＵＥのうちの１つまたは複数のためのサービングセルの変更を開始するために、測定値を使用し得る。  
新無線（ＮＲ）物理ダウンリンク共有チャネル（ＰＤＳＣＨ）および物理アップリンク共有チャネル（ＰＵＳＣＨ）についてのレートマッチング
【００６０】
[0081]概して、ロングタームエボリューション（ＬＴＥ）規格または５Ｇ新無線（ＮＲ）規格などのワイヤレス規格に準拠するワイヤレスデバイスは、チャネル推定または等化のためにアップリンクおよびダウンリンク基準信号を使用する。いくつかの場合には、ダウンリンクまたはアップリンク基準信号との干渉は、基準信号の受信機による不正確な推定を生じ得る。これを防ぐために、たとえば、ダウンリンク基準信号を受信しているユーザ機器（ＵＥ）は、他のＵＥの非周期チャネル状態情報基準信号（Ａ−ＣＳＩ−ＲＳ）、他のセルのＣＳＩ−ＲＳ、他のセルの同期信号（ＳＳ）、（サウンディング基準信号（ＳＲＳ）が物理アップリンク共有チャネル（ＰＵＳＣＨ）と多重化され得る場合）Ａ−ＳＲＳのための非周期ＳＲＳ構造、（未使用物理アップリンク制御チャネル（ＰＵＣＣＨ）リソースがＰＵＳＣＨのために使用され得る場合）ＰＵＣＣＨ構造、レガシーシステムにおける信号／チャネル（たとえば、ＬＴＥセル固有基準信号（ＣＳＲ）／ＳＳ、位相追跡基準信号（ＰＴＲＳ）、トラッキング基準信号などからの干渉を回避する必要があり得る。
【００６１】
[0082]図８は、セル８３０（たとえば、主要なセル）のセル半径がセル８４０（たとえば、ネイバリングセル）のセル半径と重複するエリア中にあるＵＥ８２０（たとえば、ＵＥ１２０）の一例を例示する。図８に示されているように、ＵＥ８２０は、セル８３０におけるＢＳ８１０（たとえば、ＢＡ１１０）からＣＳＩ−ＲＳを受信し、セル８４０におけるＢＳ８１２（たとえば、ＢＳ１１０）からＣＳＩ−ＲＳ（たとえば、Ａ−ＣＳＩ−ＲＳ）を受信し得る。さらに、ＵＥ８２０は、ＰＤＳＣＨを通してＢＳ８１０からデータ／制御情報を受信し得る。ただし、ＮＲ規格の下で、ＰＤＳＣＨは、多数のアンテナを通してビームフォーミングされるが、ＣＳＩ−ＲＳは、ビームフォーミングなしに送信される。その結果、ＰＤＳＣＨリソース要素（ＲＥ）に関連する信号強度は、ＣＳＩ−ＲＳ  ＲＥに関連する信号強度よりも高い。
【００６２】
[0083]したがって、図８の実施形態では、セル８３０におけるＰＤＳＣＨのＲＥが、セル８４０におけるプリコーディングされないＣＳＩ−ＲＳ（たとえば、非ゼロ電力（ＮＺＰ）ＣＳＩ−ＲＳ）のＲＥと衝突した場合、セルエッジＵＥ（たとえば、ＵＥ８２０）は、セル８４０において検出されるＣＳＩ−ＲＳ上の基準信号受信電力（ＲＳＲＰ）を推定することが可能でないことがある。セルエッジＵＥがＲＳＲＰを推定することができないことは、不正確なＣＳＩフィードバックを送信することを生じ得、いくつかの場合には、ＣＳＩ−ＲＳＲＰに基づくセル８３０とセル８４０との間のＵＥ８２０のピンポンハンドオーバを生じ得る。本明細書で説明される実施形態では、ＮＺＰ  ＣＳＩ−ＲＳは、ＮＺＰ  ＣＳＩ−ＲＳ（たとえば、ＲＥ８６０）がその上で送信されるＲＥが、たとえば、サービングセル（たとえば、セル８３０）におけるＰＤＳＣＨ（たとえば、ＰＤＳＣＨ８５０）のＲＥと衝突するとき、たとえば、エッジＵＥ（たとえば、ＵＥ８２０）について干渉を引き起こし得るネイバリングセル（たとえば、セル８４０）において送信されるＣＳＩ−ＲＳを指す。さらに、本明細書で説明される実施形態では、ＺＰ  ＣＳＩ−ＲＳは、ＮＺＰ  ＣＳＩ−ＲＳの周辺でＰＤＳＣＨレートマッチングを実施するようにＵＥを構成するために使用される（１つまたは複数の）レートマッチングリソース（ＲＭＲ）を指す。いくつかの実施形態では、ＺＰ  ＣＳＩ−ＲＳは、サービングセル（たとえば、セル８３０）によってＵＥに送信され得る。
【００６３】
[0084]したがって、本明細書で説明されるいくつかの実施形態は、ＵＥ（たとえば、ＵＥ１２０、ＵＥ８２０など）が、ＰＤＳＣＨを送信するセル以外のセルから検出されるＣＳＩ−ＲＳ上のＲＳＲＰを正確に推定することを可能にするために、ネイバリングセルにおけるＮＺＰ  ＣＳＩ−ＲＳの周辺でＰＤＳＣＨレートマッチングを実施するようにＵＥを構成することに関する。
【００６４】
[0085]図９は、本開示の態様による、ワイヤレスデバイスによるワイヤレス通信のための一例の動作を例示する。いくつかの実施形態では、ワイヤレスデバイスはＵＥであり得る。９０２において、動作９００は、サービングセルからレートマッチングリソース（ＲＭＲ）構成を受信することによって開始する。９０４において、動作９００は、ＲＭＲ構成に関連する送信ヌメロロジーに少なくとも部分的に基づいて、周辺でレートマッチングされるべき１つまたは複数の第１のリソース要素（ＲＥ）を識別することによって続き、ここにおいて、１つまたは複数の第１のＲＥは、サービングセルまたはネイバリングセルにおける基準信号（ＲＳ）送信のために使用される。９０６において、動作９００は、物理ダウンリンク共有チャネル（ＰＤＳＣＨ）を、第１のＲＥを含まない１つまたは複数の第２のＲＥにマッピングすることによって続く。
【００６５】
[0086]図９Ａは、図９に示されている動作のうちの１つまたは複数など、本明細書で開示される技法のための動作を実施するように構成された（たとえば、ミーンズプラスファンクション構成要素に対応する）様々な構成要素を含み得るワイヤレス通信デバイス９００Ａを例示する。通信デバイス９００Ａは、トランシーバ９１２に結合された処理システム９１４を含む。トランシーバ９１２は、アンテナ９１３を介して通信デバイス９００Ａのための信号を送信および受信するように構成される。処理システム９１４は、信号を処理することなど、通信デバイス９００Ａのための処理機能を実施するように構成され得る。
【００６６】
[0087]処理システム９１４は、バス９２１を介してコンピュータ可読媒体／メモリ９１１に結合されたプロセッサ９０９を含む。いくつかの態様では、コンピュータ可読媒体／メモリ９１１は、プロセッサ９０９によって実行されたとき、プロセッサ９０９に、図９に示されている動作、または本明細書で説明される様々な技法を実施するための他の動作のうちの１つまたは複数を実施させる命令を記憶するように構成される。
【００６７】
[0088]いくつかの態様では、処理システム９１４は、図９中の９０２に例示される動作のうちの１つまたは複数を実施するための受信構成要素９２０をさらに含む。さらに、処理システム９１４は、図９中の９０４に例示される動作のうちの１つまたは複数を実施するための識別構成要素９２２を含む。さらに、処理システム９１４は、図９中の９０６に例示される動作のうちの１つまたは複数を実施するためのマッピング構成要素９２４を含む。
【００６８】
[0089]受信構成要素９２０、受信構成要素９２２、識別構成要素９２４、およびマッピング構成要素９２６は、バス９２１を介してプロセッサ９０９に結合され得る。いくつかの態様では、受信構成要素９２０、受信構成要素９２２、識別構成要素９２４、およびマッピング構成要素９２６はハードウェア回路であり得る。いくつかの態様では、受信構成要素９２０、受信構成要素９２２、識別構成要素９２４、およびマッピング構成要素９２６は、プロセッサ９０９上で実行され、動作するソフトウェア構成要素であり得る。
【００６９】
[0090]上記で説明されたように、ＰＤＳＣＨレートマッチングは、ＰＤＳＣＨを送信するセル（たとえば、図８のセル８３０）以外のセル（たとえば、図８のセル８４０）から検出されるＮＺＰ  ＣＳＩ−ＲＳの周辺でＵＥによって実施され得る。
【００７０】
[0091]いくつかの実施形態では、両方のセルは、同一のヌメロロジーを使用し得る。たとえば、図８のセル８３０およびセル８４０は、たとえば、同じ種類のサブキャリア間隔、スロットフォーマット、シンボル持続時間などを使用し得る。そのような実施形態では、ＵＥ（たとえば、ＵＥ８３０、ＵＥ１２０）は、ＰＤＳＣＨレートマッチングを実施するためにＵＥを構成する、ゼロ電力（ＺＰ）ＣＳＩ−ＲＳリソースを含む、セル８３０（たとえば、サービングセル）からのレートマッチング（ＲＭＲ）構成を受信し得る。いくつかの実施形態では、構成は、ＵＥがネイバリングセル（たとえば、図８のセル８４０）において周期または半永続的ＮＺＰ  ＣＳＩ−ＲＳを受信する状況では、半静的であり得る。いくつかの実施形態では、ＵＥは、ＵＥがネイバリングセルにおいて非周期ＮＺＰ  ＣＳＩ−ＲＳを受信する状況では、動的インジケーションを通して構成され得る。
【００７１】
[0092]いくつかの実施形態では、ＺＰ  ＣＳＩ−ＲＳはＣＳＩフレームワークを介して構成され得る。いくつかの実施形態では、ＣＳＩ−ＲＳ送信電力は、ＲＳ設定、ＣＳＩ−ＲＳリソースセット、および／またはＣＳＩ−ＲＳリソース中のパラメータであり得る。そのような実施形態では、ＣＳＩ−ＲＳ送信電力パラメータは、少なくとも、０の値を含み得る。たとえば、いくつかの実施形態では、送信電力パラメータは、ＮＺＰとは対照的にＺＰを示すために１ビットであり得るか、または、いくつかの実施形態では、送信電力パラメータは、複数のＮＺＰレベルを示すために複数のビットであり得る。
【００７２】
[0093]いくつかの実施形態では、ＣＳＩ−ＲＳリソースは、親ＲＳ設定から送信電力プロパティを継承し得る。たとえば、ＲＳ設定がＺＰとして構成された場合、それに関連するすべてのＣＳＩ−ＲＳリソースセットおよび／またはＣＳＩ−ＲＳリソースは、デフォルトでＺＰである。別の例では、ＣＳＩ−ＲＳリソースセットがＺＰとして構成された場合、それに関連するすべてのＣＳＩ−ＲＳリソースは、デフォルトでＺＰである。いくつかの実施形態では、個々のＣＳＩ−ＲＳリソースセットまたはＣＳＩ−ＲＳリソースの場合、非ゼロＣＳＩ−ＲＳ送信電力は、それの親ＲＳ設定のＺＰ設定をオーバーライドするように、ＣＳＩ−ＲＳリソースセットまたはＣＳＩ−ＲＳリソースのパラメータとしてさらに構成され得る。
【００７３】
[0094]いくつかの実施形態では、セルは、異なるヌメロロジーを使用し得る。図１０は、セル１０３０が、セル１０４０よりも大きいサブキャリア間隔（ＳＣＳ）と、また、セル１０４０よりも長いシンボル持続時間とを使用することの一例を示す。たとえば、図８に示されているように、セル１０３０は１５ｋＨｚのＳＣＳを有するが、セル１０４０は３０ｋＨｚのＳＣＳを有する。そのような実施形態では、セル１０４０のヌメロロジーは、セル１０３０に対して透過的であり得る。したがって、セル１０３０におけるＵＥは、セル１０３０における同じ送信ヌメロロジーを使用するＺＰ  ＣＳＩ−ＲＳ（たとえば、ＺＰ  ＣＳＩ−ＲＳ１０５０およびＺＰ  ＣＳＩ−ＲＳ１０５５）で構成され得る。いくつかの実施形態では、各々が異なるＲＢコムに関連し得るＺＰ  ＣＳＩ−ＲＳのセットが構成され得る。これは、セル１０４０のＣＳＩ−ＲＳセットまたはリソース（たとえば、ＮＺＰ  ＣＳＩ−ＲＳ１０６０およびＮＺＰ  ＣＳＩ−ＲＳ１０７０）に一致するためである。一例として、いくつかの実施形態では、動的ＺＰ  ＣＳＩ−ＲＳインジケーションの場合、ＺＰ  ＣＳＩ−ＲＳのセットが示され得る。そのような実施形態の一例では、１つのＺＰ  ＲＳ設定またはＺＰ  ＣＳＩ−ＲＳリソースセットが示され得る。別の例では、ＺＰ  ＣＳＩ−ＲＳリソースの４つのセットが半静的に構成され得、４つのセットのうちの１つは、ＤＣＩ中で２ビットによって動的に示され得る。そのような例では、各セットは、ＣＳＩフレームワークを介して構成されたいくつかのＣＳＩ−ＲＳを含み得る。たとえば、ＣＳＩフレームワークにおいて構成されたＣＳＩ−ＲＳは、ＺＰでないことがある。
【００７４】
[0095]異なるヌメロロジーを使用するセルの別の例が、図１１に示されており、図１１において、セル１１３０は、セル１１４０よりも小さいＳＣＳを使用している。そのような実施形態では、セル１１３０におけるＵＥは、セル１１３０における同じ送信ヌメロロジーを使用するＺＰ  ＣＳＩ−ＲＳで構成され得る。いくつかの実施形態において、各々が異なるスロットに関連するＺＰ  ＣＳＩ−ＲＳのセットが構成され得る。たとえば、図１１に示されているように、ＺＰ  ＣＳＩ−ＲＳ１１５０および１１５２は、（１４個のシンボルを備える）１つのスロットに関連し、ＺＰ  ＣＳＩ−ＲＳ１１５４および１１５６は、（１４個のシンボルを備える）次のスロットに関連する。そのような実施形態では、各ＺＰ  ＣＳＩ−ＲＳリソースは、ＮＺＰ  ＣＳＩ−ＲＳよりも高い密度で構成され得る。いくつかの実施形態では、ＺＰ  ＣＳＩ−ＲＳは、ＰＤＳＣＨのための送信ヌメロロジー以外の送信ヌメロロジーで構成され得る。いくつかの実施形態では、ＺＰ  ＣＳＩ−ＲＳ構成は、ＳＣＳ（たとえば、１５ｋＨｚ）を示すためのパラメータを含み得るが、送信ヌメロロジー（たとえば、３０ｋＨｚ  ＳＣＳ）は、ＰＤＳＣＨおよびＮＺＰ  ＣＳＩ−ＲＳ（たとえば、ＮＺＰ  ＣＳＩ−ＲＳ１１６０およびＮＺＰ  ＣＳＩ−ＲＳ１１６２などのために別々に構成され得る。そのような実施形態では、ＵＥは、１５ｋＨｚのＳＣＳにおけるＺＰ  ＣＳＩ−ＲＳと重複している３０ｋＨｚのＳＣＳの下でＲＥを識別する。そのようなＲＥを識別した後に、いくつかの実施形態では、ＵＥは、これらのＲＥがＰＤＳＣＨとマッピングされないと仮定し得る。
【００７５】
[0096]本明細書で説明されるいくつかの実施形態は、アップリンク（ＵＬ）上で物理アップリンク制御チャネル（ＰＵＣＣＨ）の周辺でＰＵＳＣＨレートマッチングを実施するようにＵＥを構成することに関する。
【００７６】
[0097]図１２は、本開示の態様による、ワイヤレスデバイスによるワイヤレス通信のための一例の動作を例示する。いくつかの実施形態では、ワイヤレスデバイスはＵＥであり得る。１２０２において、動作１２００は、サービングセルからレートマッチングリソース（ＲＭＲ）構成を受信することによって開始する。１２０４において、動作１２００は、ＲＭＲ構成における物理アップリンク制御チャネル（ＰＵＣＣＨ）とサウンディング基準信号（ＳＲＳ）とに関係するシグナリング構成に少なくとも部分的に基づいて、物理アップリンク共有チャネル（ＰＵＳＣＨ）のために周辺でレートマッチングされるべき１つまたは複数の第１のリソース要素（ＲＥ）を識別することを続ける。１２０６において、動作１２００は、物理アップリンク共有チャネル（ＰＵＳＣＨ）を、第１のＲＥを含まない１つまたは複数の第２のＲＥにマッピングすることによって続く。
【００７７】
[0098]図１２Ａは、図１２に示されている動作のうちの１つまたは複数など、本明細書で開示される技法のための動作を実施するように構成された（たとえば、ミーンズプラスファンクション構成要素に対応する）様々な構成要素を含み得るワイヤレス通信デバイス１２００Ａを例示する。通信デバイス１２００Ａは、トランシーバ１２１２に結合された処理システム１２１４を含む。トランシーバ１２１２は、アンテナ１２１３を介して通信デバイス１２００Ａのための信号を送信および受信するように構成される。処理システム１２１４は、信号を処理することなど、通信デバイス１２００Ａのための処理機能を実施するように構成され得る。
【００７８】
[0099]処理システム１２１４は、バス１２２１を介してコンピュータ可読媒体／メモリ１２１１に結合されたプロセッサ１２０９を含む。いくつかの態様では、コンピュータ可読媒体／メモリ１２１１は、プロセッサ１２０９によって実行されたとき、プロセッサ１２０９に、図１２に示されている動作、または本明細書で説明される様々な技法を実施するための他の動作のうちの１つまたは複数を実施させる命令を記憶するように構成される。
【００７９】
[0100]いくつかの態様では、処理システム１２１４は、図１２中の１２０２に例示される動作のうちの１つまたは複数を実施するための受信構成要素１２２０をさらに含む。さらに、処理システム１２１４は、図１２中の１２０４に例示される動作のうちの１つまたは複数を実施するための識別構成要素１２２２を含む。さらに、処理システム１２１４は、図１２中の１２０６に例示される動作のうちの１つまたは複数を実施するためのマッピング構成要素１２２４を含む。
【００８０】
[0101]受信構成要素１２２０、受信構成要素１２２２、識別構成要素１２２４、およびマッピング構成要素１２２６は、バス１２２１を介してプロセッサ１２０９に結合され得る。いくつかの態様では、受信構成要素１２２０、受信構成要素１２２２、識別構成要素１２２４、およびマッピング構成要素１２２６はハードウェア回路であり得る。いくつかの態様では、受信構成要素１２２０、受信構成要素１２２２、識別構成要素１２２４、およびマッピング構成要素１２２６は、プロセッサ１２０９上で実行され、動作するソフトウェア構成要素であり得る。
【００８１】
[0102]いくつかの実施形態では、ＰＵＳＣＨレートマッチングは、ロングＰＵＳＣＨがロングＰＵＣＣＨを回避することを可能にするために実施される。上記で説明されたように、いくつかの実施形態では、ＵＥは、ＰＵＳＣＨレートマッチングを実施するために構成されるべきサービングセルから、（たとえば、ＺＰ  ＣＳＩ−ＲＳを含み得る）ＲＭＲ構成を受信し得る。図１３Ａは、（たとえば、時間および周波数におけるロケーション、周波数ホッピングパターンなどを含む）ロングＰＵＣＣＨを送信するために予約される、ＵＬ通常バースト内のロングＰＵＣＣＨ領域１３０２および１３０４における半静的に構成されたリソースのセットを例示する。
【００８２】
[0103]いくつかの実施形態では、半静的レートマッチングは、ロングＰＵＳＣＨがロングＰＵＣＣＨ領域１３０２および１３０４全体を回避することを可能にするためにＵＥによって実施され得る。ロングＰＵＣＣＨ領域１３０２および１３０４は、セルにおけるすべてのＵＥによって共有される（たとえば、ロングＰＵＣＣＨ領域１３０２は、ＵＥ固有に構成されるか、またはセル特別に構成されるかのいずれかであり得る）。上記で説明されたように、ＰＵＳＣＨリソース割振りが、構成されたロングＰＵＣＣＨ領域１３０２および１３０４と部分的に重複する場合、ＰＵＳＣＨリソース要素（ＲＥ）マッピングは、ロングＰＵＣＣＨ領域１３０２および１３０４におけるＲＥを回避し得る。これは図１３Ｂに示されており、ここで、ロングＰＵＣＣＨのために割り振られた領域１３０２および１３０４におけるいくつかのリソース（たとえば、未使用リソース１３０３および１３０５）は、それらがロングＰＵＣＣＨによって占有されないとき、未使用のままである。言い換えれば、図１３Ｂは、ロングＰＵＣＣＨ領域１３０２および１３０４におけるすべてのＲＥを回避するＰＵＳＣＨ  ＲＥマッピングを示す。
【００８３】
[0104]いくつかの他の実施形態では、動的レートマッチングは、ロングＰＵＳＣＨが、ロングＰＵＣＣＨのために割り振られた領域（たとえば、領域１３０２および１３０４）におけるロングＰＵＣＣＨのために実際に使用されるリソースを回避することをＵＥが可能にすることによって実施され得る。図１３Ａと同様に、図１４Ａは、（たとえば、時間および周波数におけるロケーション、周波数ホッピングパターンなどを含む）ロングＰＵＣＣＨのために予約される、ＵＬ通常バースト１４００内のロングＰＵＣＣＨ領域１４０２および１４０４における半静的に構成されたリソースのセットを同じく例示する。しかしながら、図１３Ｂとは異なり、図１４Ｂは、ＰＵＣＣＨのために割り振られた領域においてＰＵＣＣＨによって占有されず、ＰＵＳＣＨによって占有されることになるリソース１４０３および１４０５を例示する。上記で説明されたように、図１４Ｂの実施形態では、ＰＵＳＣＨが、ロングＰＵＣＣＨのために割り振られた領域１４０２および１４０４においてロングＰＵＣＣＨによって実際に使用されるリソースのみを回避することを可能にするために動的レートマッチングが実施されるからである。
【００８４】
[0105]図１４Ｂの実施形態では、ＵＬ許可において、使用される（または未使用）ロングＰＵＣＣＨリソースが、ＰＵＳＣＨリソース割振りに加えて示され得る。しかしながら、いくつかの実施形態では、インジケーションは、ＰＵＳＣＨリソース割振りがロングＰＵＣＣＨ領域と重複しない場合、省略され得る。いくつかの実施形態では、インジケーションは、ロングＰＵＣＣＨリソースインジケーションとマージされ得る。たとえば、ＵＥは、レートマッチングのための構成されたリソースのサブセットのインジケーションを受信し得、ここで、サブセット中の１つのリソースは、同じスロット中のそれ自体のロングＰＵＣＣＨ送信のためのリソースとしてさらに示され得る。
【００８５】
[0106]いくつかの実施形態では、ＵＥは、ＵＬ共通バースト中で信号／チャネルを回避するためにＰＵＳＣＨレートマッチングを実施し得る。図１５は、スロットのＵＬショート持続時間中の一例のシンボル１５０２を例示する。いくつかの実施形態では、ＵＥは、ＰＵＳＣＨがＵＬショート持続時間全体を回避し得るように、半静的レートマッチングを実施し得る。たとえば、そのような実施形態では、スロットフォーマットに基づいて、ＵＥは、ロングＰＵＳＣＨが存在する場合、ＵＬショート持続時間中にロングＰＵＳＣＨをＲＥにマッピングしないことがある。
【００８６】
[0107]いくつかの実施形態では、ＵＥは、ＰＵＳＣＨがＵＬショート持続時間中に予約済みリソースを回避し得るように、半静的レートマッチングを実施し得る。たとえば、そのような実施形態では、ＵＥは、ＰＵＳＣＨを、ショートＰＵＣＣＨのために予約されるリソースにマッピングしないことがある。たとえば、図１５は、第１のＵＥのショートＰＵＳＣＨのためのスケジュールされた帯域幅を指す、帯域幅１５０２を示す。一例では、ＵＥは、ＰＵＳＣＨを、ショートＰＵＳＣＨのために予約されるリソースを含む帯域幅１５０２のリソースにマッピングしないことがある。また、いくつかの実施形態では、ＵＥは、ＰＵＳＣＨを、ＳＲＳのために予約されるＲＥコムにマッピングしないことがある。
【００８７】
[0108]いくつかの実施形態では、ＵＥ（たとえば、第１のＵＥ）は、ＰＵＳＣＨが他の信号／チャネルのために実際に使用されるリソースを回避し得るように、動的レートマッチングを実施し得る。そのような実施形態では、ＵＬ許可において、ＵＥ（たとえば、第１のＵＥ）は、１つまたは複数のＲＥコムが非周期ＳＲＳ送信により周辺でレートマッチングされ得るインジケーションを受信し得る。いくつかの実施形態では、これは、ＺＰ  ＳＲＳリソースを構成すること／示すこと（サブバンド依存）によって実施され得る。たとえば、図１５は、第２のＵＥが非周期ＳＲＳをその上で送信するリソースを含むサブバンド１５０６を示す。そのようなリソースは、コム１５０８として示される。上記で説明されたように、いくつかの実施形態では、サブバンド１５０８において、第１のＵＥは、ＰＵＳＣＨが第２のＵＥの非周期ＳＲＳ送信を回避し得るように動的レートマッチングを実施し得る。したがって、第１のＵＥのショートＰＵＳＣＨはコム１５１０にマッピングされ得、コム１５１０は、第２のＵＥが非周期ＳＲＳをその上で送信しないリソースを指し、そのコム１５０８は第１のＵＥのためのＺＰ  ＳＲＳとして示される。第１のＵＥのショートＰＵＳＣＨが、サブバンド１５０６におけるリソースの残りにマッピングされ得ることに留意されたい。たとえば、第１のＵＥのショートＰＵＳＣＨは、リソース１５１２および１５１４にマッピングされ得る。
【００８８】
[0109]いくつかの実施形態では、ＵＥは、ロングＰＵＣＣＨまたはＵＬ共通バーストＰＵＣＣＨ／ＳＲＳに限定されることなしに、ＰＵＣＣＨの周辺でＰＵＳＣＨレートマッチングを実施し得る。そのような実施形態では、レートマッチングは、プリコーダ依存であり得る。たとえば、いくつかの実施形態では、ＵＬクローズドＭＩＭＯの場合、ＵＥは、ワイドバンドまたはサブバンドレベルにおいてＵＬプリコーダを用いて割り当てられ得る。いくつかの実施形態では、ＰＵＳＣＨレートマッチングは、構成されたプリコーダのみを用いて行われる。そのような実施形態では、ＰＵＳＣＨレートマッチングのプリコーダセットが使用され得る。一例として、ＰＵＳＣＨランク１の場合、総プリコーダ仮説は、（たとえば、図１６に示されているように）セット｛ｐ１，ｐ２．．．，ｐ８｝を含み、そこから｛ｐ１，ｐ２｝が選択され得る。ｐ１プリコーダまたはｐ２プリコーダのいずれかが、あるサブバンド上で選択された場合、レートマッチングはこれらのサブバンドに対して実施される。
【００８９】
[0110]たとえば、ＰＵＳＣＨランク２の場合、第１のレイヤと第２のレイヤの両方が、プリコーダセットに基づいてレートマッチングされる。いくつかの実施形態では、選択されたセット中に含まれない他のプリコーダの場合、レートマッチングは実施されない。いくつかの実施形態では、プリコーダセットは、上位レイヤシグナリング／半静的シグナリングまたは動的シグナリングを介して構成され得る。説明されるように、図１６は、ＵＬロングバースト１６０２をもつＵＬ通常バースト１６００を例示する。図１６はまた、一例のプリコーダセット｛ｐ１，ｐ２．．．，ｐ８｝を示し、ここで、ｐ１およびｐ２が、選択されるかまたは割り当てられ、したがって、レートマッチングは、対応するサブバンドに対して実施される。
【００９０】
[0111]いくつかの実施形態では、レートマッチングリソース（ＲＭＲ）は、ＤＬとＵＬの両方について別々に構成され得る。構成は、半静的または動的であり得る。半静的構成は、いくつかの実施形態では、ネイバリングセルにおける周期／半永続的ＮＺＰ  ＣＳＩ−ＲＳまたはロング／ショートＰＵＣＣＨのために使用され得る。動的構成は、いくつかの実施形態では、ネイバリングセルにおける非周期ＮＺＰ  ＣＳＩ−ＲＳまたはロング／ショートＰＵＣＣＨのために使用され得る。いくつかの実施形態では、ＤＬレートマッチングリソースは、複数のＤＬ  ＣＳＩ−ＲＳリソースにリンクされ得、ここで、ＣＳＩ−ＲＳリソースは、ネイバリングセルのＣＳＩ−ＲＳ時間／周波数リソースに対応する。いくつかの実施形態では、ＤＬレートマッチングリソースは、ネイバリングセルのＳＳブロック、さらには（ＬＴＥなどの）他の（無線アクセス技術の）ＲＡＴのＳＳブロックまたはパイロットＲＥにリンクされ得る。いくつかの実施形態では、ＵＬレートマッチングリソースは、ネイバリングセルのロング／ショートＰＵＣＣＨリソース構成に対応するＵＬロング／ショートＰＵＣＣＨ構成にリンクされ得る。いくつかの実施形態では、レートマッチングリソースのアクティブ化または非アクティブ化は、半静的または動的であり得る。いくつかの実施形態では、各リンクされたリソースは、ビットマップのような動作を介してアクティブ化または非アクティブ化され得る。
【００９１】
[0112]図１７は、一例のＲＭＲ１７０６を例示する。図１７は、ＲＭＲ１７０６への、１つまたは複数のネイバリングセルの（１つまたは複数の）ＣＳＩ−ＲＳ設定１７０２とＬＴＥの（１つまたは複数の）ＳＳブロック設定１７０４とのアグリゲーションを例示する。いくつかの実施形態では、レートマッチングリソース内の両方の設定（たとえば、１７０２および１７０４）がアグリゲートされるとき、レートマッチングは、それらの基準信号に対してＵＥによって実施される。たとえば、示されているように、リソース１７０８が、ＬＴＥ  ＰＳＳ／ＳＳＳのためにレートマッチングされ、リソース１７１０が、１つまたは複数のネイバリングセルのＣＳＩ−ＲＳのためにレートマッチングされる。
【００９２】
[0113]本明細書で開示される方法は、説明される方法を達成するための１つまたは複数のステップまたはアクションを備える。本方法のステップおよび／またはアクションは、特許請求の範囲の範囲から逸脱することなく、互いに交換され得る。言い換えれば、ステップまたはアクションの特定の順序が指定されていない限り、特定のステップおよび／またはアクションの順序および／または使用は、特許請求の範囲の範囲から逸脱することなく改変され得る。
【００９３】
[0114]明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素を用いた任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【００９４】
[0115]本明細書で使用される「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。さらに、「決定すること」は、解決すること、選択すること、選ぶこと、確立することなどを含み得る。
【００９５】
[0116]以上の説明は、当業者が本明細書で説明される様々な態様を実施できるようにするために提供されたものである。これらの態様に対する様々な改変は当業者には容易に明らかであり、本明細書で定義される一般的原理は他の態様に適用され得る。したがって、特許請求の範囲は、本明細書で示される態様に限定されるものではなく、特許請求の範囲の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつかの」という用語は１つまたは複数を指す。当業者に知られている、または後に知られることになる、本開示全体にわたって説明される様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に記載されているか否かにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条第６項の規定の下で解釈されるべきではない。
【００９６】
[0117]上記で説明された方法の様々な動作は、対応する機能を実施することが可能な任意の好適な手段によって実施され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。
【００９７】
[0118]たとえば、送信するための手段および／または受信するための手段は、基地局１１０の送信プロセッサ４２０、ＴＸ  ＭＩＭＯプロセッサ４３０、受信プロセッサ４３８、または（１つまたは複数の）アンテナ４３４、および／あるいはユーザ機器１２０の送信プロセッサ４６４、ＴＸ  ＭＩＭＯプロセッサ４６６、受信プロセッサ４５８、または（１つまたは複数の）アンテナ４５２のうちの１つまたは複数を備え得る。さらに、生成するための手段、多重化するための手段、および／または適用するための手段は、基地局１１０のコントローラ／プロセッサ４４０および／またはユーザ機器１２０のコントローラ／プロセッサ４８０など、１つまたは複数のプロセッサを備え得る。
【００９８】
[0119]本開示に関連して説明される様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、個別ゲートもしくはトランジスタ論理、個別ハードウェア構成要素、または本明細書で説明される機能を実施するように設計されたそれらの任意の組合せを用いて実装または実施され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと併用される１つもしくは複数のマイクロプロセッサ、または任意の他のそのような構成として実装され得る。
【００９９】
[0120]ハードウェアで実装される場合、一例のハードウェア構成は、ワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路などの様々な他の回路をリンクし得るが、それらは当技術分野でよく知られており、したがってこれ以上説明されない。プロセッサは、１つまたは複数の汎用および／または専用プロセッサを用いて実装され得る。例は、マイクロプロセッサ、マイクロコントローラ、ＤＳＰプロセッサ、およびソフトウェアを実行することができる他の回路を含む。当業者は、特定の適用例と、全体的なシステムに課される全体的な設計制約とに応じて、どのようにしたら処理システムについて説明された機能性を最も良く実装し得るかを理解されよう。
【０１００】
[0121]ソフトウェアで実装される場合、機能は、１つもしくは複数の命令またはコードとしてコンピュータ可読媒体上に記憶されるか、あるいはコンピュータ可読媒体を介して送信され得る。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。コンピュータ可読媒体は、ある場所から別の場所へのコンピュータプログラムの転送を可能にする任意の媒体を含む、コンピュータ記憶媒体とコンピュータ通信媒体の両方を含む。プロセッサは、機械可読記憶媒体に記憶されたソフトウェアモジュールの実行を含む、バスおよび一般的な処理を管理することを担当し得る。コンピュータ可読記憶媒体は、プロセッサがその記憶媒体から情報を読み取ることができ、その記憶媒体に情報を書き込むことができるように、プロセッサに結合され得る。代替として、記憶媒体はプロセッサと一体であり得る。例として、機械可読媒体は、すべてがバスインターフェースを介してプロセッサによってアクセスされ得る、伝送線路、データによって変調された搬送波、および／またはワイヤレスノードとは別個のその上に記憶された命令をもつコンピュータ可読記憶媒体を含み得る。代替的に、または追加として、機械可読媒体またはその任意の部分は、キャッシュおよび／または汎用レジスタファイルがそうであり得るように、プロセッサに統合され得る。機械可読記憶媒体の例は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（登録商標）（電気消去可能プログラマブル読取り専用メモリ）、レジスタ、磁気ディスク、光ディスク、ハードドライブ、もしくは他の好適な記憶媒体、またはそれらの任意の組合せを含み得る。機械可読媒体はコンピュータプログラム製品において実施され得る。
【０１０１】
[0122]ソフトウェアモジュールは、単一の命令または多数の命令を備え得、いくつかの異なるコードセグメント上で、異なるプログラム間で、および複数の記憶媒体にわたって分散され得る。コンピュータ可読媒体は、いくつかのソフトウェアモジュールを備え得る。ソフトウェアモジュールは、プロセッサなどの装置によって実行されたときに、処理システムに様々な機能を実施させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能性に言及する場合、そのような機能性は、そのソフトウェアモジュールからの命令を実行したときにプロセッサによって実装されることが理解されよう。
【０１０２】
[0123]また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は、非一時的コンピュータ可読媒体（たとえば、有形媒体）を備え得る。さらに、他の態様では、コンピュータ可読媒体は、一時的コンピュータ可読媒体（たとえば、信号）を備え得る。上記の組合せもコンピュータ可読媒体の範囲内に含まれるべきである。
【０１０３】
[0124]したがって、いくつかの態様は、本明細書で提示される動作を実施するためのコンピュータプログラム製品を備え得る。たとえば、そのようなコンピュータプログラム製品は、本明細書で説明される動作を実施するために１つまたは複数のプロセッサによって実行可能である命令を記憶した（および／または符号化した）コンピュータ可読媒体を備え得る。
【０１０４】
[0125]さらに、本明細書で説明される方法および技法を実施するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明される方法を実施するための手段の転送を可能にするためにサーバに結合され得る。代替的に、本明細書で説明される様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明される方法および技法をデバイスに提供するための任意の他の好適な技法が利用され得る。
【０１０５】
[0126]特許請求の範囲は、上記で示された厳密な構成および構成要素に限定されないことを理解されたい。上記で説明された方法および装置の構成、動作ならびに詳細において、特許請求の範囲の範囲から逸脱することなく、様々な改変、変更および変形が行われ得る。
【図１】
2020535740.tif 000003
【図２】
2020535740.tif 000004
【図３】
2020535740.tif 000005
【図４】
2020535740.tif 000006
【図５】
2020535740.tif 000007
【図６】
2020535740.tif 000008
【図７】
2020535740.tif 000009
【図８】
2020535740.tif 000010
【図９】
2020535740.tif 000011
【図９Ａ】
2020535740.tif 000012
【図１０】
2020535740.tif 000013
【図１１】
2020535740.tif 000014
【図１２】
2020535740.tif 000015
【図１２Ａ】
2020535740.tif 000016
【図１３Ａ】
2020535740.tif 000017
【図１３Ｂ】
2020535740.tif 000018
【図１４Ａ】
2020535740.tif 000019
【図１４Ｂ】
2020535740.tif 000020
【図１５】
2020535740.tif 000021
【図１６】
2020535740.tif 000022
【図１７】
2020535740.tif 000023
【国際調査報告】
2020535740.tif 000024
2020535740.tif 000025